(57)【要約】【課題】  アブラナ科植物の風味を有する飲食品組成物、例えば、ワサビ風味飲食品組成物やカラシ風味飲食品組成物に添加し、製造直後のみならず長期保管した後においても良好な辛味及び辛味増強作用を奏する香料組成物を提供すること。【解決手段】  ポリゴジアール及びイソチオシアネート類を含有することを特徴とするアブラナ科植物の風味を有する香料組成物である。【選択図】  なし【特許請求の範囲】
【請求項１】
ポリゴジアール及びイソチオシアネート類を含有することを特徴とするアブラナ科植物の風味を有する香料組成物。
【請求項２】
イソチオシアネート類が下記式［１］で表されるω−アルケニルイソチオシアネート類、下記式［２］で表されるω−メチルチオアルキルイソチオシアネート類、及び下記式［３］で表されるω−アルキルイソチオシアネート類からなる群より選ばれた１種又は２種以上のイソチオシアネート類である請求項１記載の香料組成物。
【化１】
2020196775.tif 000016
【請求項３】
イソチオシアネート類１０００質量部に対してのポリゴジアールの比率が０．０００１〜１０であることを特徴とする請求項１又は２に記載の香料組成物。
【請求項４】
ポリゴジアールの濃度が１００ｐｐｂ〜１％、イソチオシアネート類の濃度が１００ｐｐｍ〜９９％であることを特徴とする請求項１〜３のいずれか１項に記載の香料組成物。
【請求項５】
ポリゴジアールが、ポリゴジアールを含有する植物抽出物又は精油に含まれるポリゴジアールであることを特徴とする請求項１〜４のいずれか１項に記載の香料組成物。
【請求項６】
アブラナ科植物がワサビ又はカラシであることを特徴とする請求項１〜５のいずれか１項に記載の香料組成物。
【請求項７】
スピラントールと併用することを特徴とする請求項１〜６のいずれか１項に記載の香料組成物。
【請求項８】
ポリゴジアール１質量部に対して、スピラントールを０．０１〜１００質量部の割合で併用することを特徴とする請求項７に記載の香料組成物。
【請求項９】
香料組成物が、アブラナ科植物の風味を有する飲食品組成物の辛味増強用香料組成物であることを特徴とする請求項１〜８のいずれか１項に記載の香料組成物。
【請求項１０】
香料組成物が、アブラナ科植物の風味を有する飲食品の劣化臭マスキング用香料組成物であることを特徴とする請求項１〜８のいずれか１項に記載の香料組成物。
【請求項１１】
飲食品組成物中のポリゴジアールの濃度が０．５ｐｐｂ〜１０００ｐｐｂ、イソチオシアネート類の濃度が１０〜５０００ｐｐｍとなるように添加することを特徴とする、アブラナ科植物の風味を有する飲食品組成物の辛味増強方法。
【請求項１２】
アブラナ科植物の風味を有する飲食品組成物が、ワサビ風味飲食品組成物又はカラシ風味飲食品組成物である請求項１１に記載のアブラナ科植物の風味を有する飲食品組成物の辛味増強方法。
【請求項１３】
請求項１１又は１２の方法で辛味が増強されたアブラナ科植物の風味を有する飲食品組成物。
【請求項１４】
飲食品組成物中のポリゴジアールの濃度が０．５ｐｐｂ〜１０００ｐｐｂ、イソチオシアネート類の濃度が１０〜５０００ｐｐｍとなるように添加することを特徴とする、アブラナ科植物の風味を有する飲食品組成物の劣化臭をマスキングする方法。
【請求項１５】
アブラナ科植物の風味を有する飲食品組成物が、ワサビ風味の飲食品組成物又はカラシ風味の飲食品組成物である請求項１４に記載の劣化臭をマスキングする方法。
【請求項１６】
請求項１４又は１５の方法でマスキングされたアブラナ科植物の風味を有する飲食品組成物。
【請求項１７】
ポリゴジアール及びイソチオシアネート類を含有することを特徴とするアブラナ科植物の風味を有する飲食品組成物。
【請求項１８】
イソチオシアネート類１０００質量部に対してのポリゴジアールの比率が０．０００１〜１０であることを特徴とする請求項１７に記載のアブラナ科植物の風味を有する飲食品組成物。
【請求項１９】
飲食品中のポリゴジアールの濃度が０．５ｐｐｂ〜１０００ｐｐｂ、イソチオシアネート類の濃度が１０〜５０００ｐｐｍであることを特徴とする請求項１７又は１８に記載のアブラナ科植物の風味を有する飲食品組成物。
【請求項２０】
アブラナ科植物の風味を有する飲食品組成物が、ワサビ風味の飲食品組成物またはカラシ風味の飲食品組成物である請求項１７〜１９いずれか1項に記載のアブラナ科植物の風味を有する飲食品組成物。
【請求項２１】
スピラントールと併用することを特徴とする請求項１７〜２０のいずれか１項に記載の飲食品組成物。
【請求項２２】
ポリゴジアール１質量部に対して、スピラントールを０．０１〜１００質量部の割合で併用することを特徴とする請求項２１に記載の飲食品組成物。
【請求項２３】
請求項９に記載の辛味増強用香料組成物を添加してなる請求項１７〜２２のいずれか１項に記載のアブラナ科植物の風味を有する辛味が増強された飲食品組成物。
【請求項２４】
請求項１０に記載のマスキング用香料組成物を添加してなる請求項１７〜２２のいずれか１項に記載のアブラナ科植物の風味を有する劣化臭がマスキングされた飲食品組成物。
【請求項２５】
ポリゴジアールの濃度が０．５ｐｐｂ〜１０００ｐｐｂ、イソチオシアネート類の濃度が１０〜５０００ｐｐｍとなるようにアブラナ科植物の風味を有する飲食品組成物に添加することを特徴とする、アブラナ科植物風味飲食品組成物の製造方法。
【請求項２６】
辛味を増強するために、請求項９に記載の辛味増強用香料組成物を添加することを特徴とする請求項２５に記載のアブラナ科植物風味飲食品組成物の製造方法。
【請求項２７】
劣化臭をマスキングするために、請求項１０に記載の劣化臭マスキング用香料組成物を添加することを特徴とする請求項２５に記載のアブラナ科植物風味飲食品組成物の製造方法。
【請求項２８】
ポリゴジアールが、ヤナギタデの有機溶剤抽出液を１５０℃以下の温度で蒸留して得られる蒸留物に含まれるポリゴジアールであることを特徴とする、請求項２５〜２７のいずれか1項に記載のアブラナ科植物風味飲食品組成物の製造方法。
【請求項２９】
アブラナ科植物の風味を有する飲食品組成物が、ワサビ風味の飲食品組成物又はカラシ風味の飲食品組成物である請求項２５〜２８のいずれか1項に記載のアブラナ科植物風味飲食品組成物の製造方法。
【発明の詳細な説明】
【技術分野】
【０００１】
本発明は、ポリゴジアール及びイソチオシアネート類、場合によりさらにスピラントールを含有することを特徴とするアブラナ科植物の風味を有する飲食品組成物用の香料組成物に関する。
詳しくは、ワサビ風味飲食品組成物やカラシ風味飲食品組成物の辛味増強用香料組成物、並びに、これら飲食品組成物の劣化臭のマスキング用香料組成物に関する。
【背景技術】
【０００２】
ワサビ、カラシ、ダイコンやカラシナ等に例示されるアブラナ科植物に含まれるアリルイソチオシアネートに代表されるイソチオシアネート類は、特有の辛味を有する成分として知られており、アブラナ科植物の風味を表現する上で重要な役割を担っている。
しかし、イソチオシアネート類は揮発性が高く食品中で徐々に減少してしまい、特有の風味が減衰していくという課題がある。
また、化学構造上加水分解を受けやすいため、水性の飲食品中で特に風味の低下が問題となる。
イソチオシアネート類が加水分解されると、風味の低下に加え、分解によって生じる劣化臭によって風味が損なわれてしまうという課題も生じる。
そこで、辛味の増強や維持を目的として、種々の対策が提案されている。
【０００３】
アブラナ科植物又はアリルイソチオシアネートの辛味を増強または維持する方法として、ワサビ類にビタミンＥを添加することで、ワサビ類に含まれる辛味及び風味成分を安定化する方法（特許文献１）、メントールを含有する乳化香料組成物を添加することで、ワサビ含有食品の辛味を増強する方法（特許文献２）が提案されている。
【０００４】
また、マルトール、イソマルトール、アニスアルデヒド、アネトール、ソトロン、エチルマルトール、メープルシロップフレーバー、フェネグリークオレオレジン、ロベッジオレオレジン、カンゾウオレオレジン及びグリチルリチンからなる群から選ばれる少なくとも１種の香気成分と、イソチオシアネート類とを含有してなる辛味調合品（特許文献３）なども提案されている。
【０００５】
しかし、上記技術では、飲食品組成物を製造後、流通段階や保存段階（倉庫保管中や店頭陳列）においてもアリルイソチオシアネート減少による風味低下が進み、自然な辛味と風味を長期間維持することが難しい。
そこで、保存中に減少することを見越してアリルイソチオシアネートを多めに添加しておくことが提案されている。しかし、この方法では、初発の風味バランスが悪くなったり、またアリルイソチオシアネートの分解によって生じる劣化臭が強くなってしまい、かえって商品価値を損なうという問題が生じる。
そうした状況で、消費者のグルメ志向や、より高品質で安全な飲食品の追求に伴い、さらなる技術開発が要求されている。
【先行技術文献】
【特許文献】
【０００６】
【特許文献１】特開平８−８９２０８号公報
【特許文献２】特開２０１１−１９４５７号公報
【特許文献３】特開平１０−１５５４５１号公報
【発明の概要】
【発明が解決しようとする課題】
【０００７】
本発明が解決しようとする課題は、アブラナ科植物の風味を有する飲食品組成物、例えば、ワサビ風味飲食品組成物やカラシ風味飲食品組成物に添加し、製造直後のみならず長期保管した後においても良好な辛味及び辛味増強作用を奏する香料組成物を提供することである。
また、アブラナ科植物風味飲食品組成物に添加し、製造直後のみならず長期保管した後においても劣化臭の弱い風味とすることが可能なマスキング作用に優れる香料組成物を提供することである。
さらに、辛味の発現性が自然なアブラナ科植物風味飲食品組成物用の香料組成物の提供である。
【課題を解決するための手段】
【０００８】
本発明者は、上記課題を解決すべく鋭意検討した結果、ポリゴジアール及びイソチオシアネート類、場合によりさらにスピラントールを含有することを特徴とするアブラナ科植物の風味を有する香料組成物が、アブラナ科植物風味飲食品組成物における良好な辛味を長期間持続させること、イソチオシアネート類の劣化臭を効率的にマスキングできること、並びにアブラナ科植物風味飲食品組成物において自然な辛味の発現ができることを見出し、本発明の完成に至った。
【０００９】
すなわち本発明は、以下に示すとおりのものである。
〔１〕ポリゴジアール及びイソチオシアネート類を含有することを特徴とするアブラナ科植物の風味を有する香料組成物。
〔２〕イソチオシアネート類が下記式［１］で表されるω−アルケニルイソチオシアネート類、下記式［２］で表されるω−メチルチオアルキルイソチオシアネート類、及び下記式［３］で表されるω−アルキルイソチオシアネート類からなる群より選ばれた１種又は２種以上のイソチオシアネート類である上記の香料組成物。
【化１】
2020196775.tif 000002
【００１０】
〔３〕イソチオシアネート類１０００質量部に対してのポリゴジアールの比率が０．０００１〜１０であることを特徴とする上記の香料組成物。
〔４〕ポリゴジアールの濃度が１００ｐｐｂ〜１％、イソチオシアネート類の濃度が１００ｐｐｍ〜９９％であることを特徴とする上記の香料組成物。
〔５〕ポリゴジアールが、ポリゴジアールを含有する植物抽出物又は精油に含まれるポリゴジアールであることを特徴とする上記の香料組成物。
〔６〕アブラナ科植物がワサビ又はカラシであることを特徴とする上記の香料組成物。
【００１１】
〔７〕スピラントールと併用することを特徴とする上記の香料組成物。
〔８〕ポリゴジアール１質量部に対して、スピラントールを０．０１〜１００質量部の割合で併用することを特徴とする上記の香料組成物。
〔９〕香料組成物が、アブラナ科植物の風味を有する飲食品組成物の辛味増強用香料組成物であることを特徴とする上記の香料組成物。
〔１０〕香料組成物が、アブラナ科植物の風味を有する飲食品組成物の劣化臭マスキング用香料組成物であることを特徴とする上記の香料組成物。
【００１２】
〔１１〕飲食品組成物中のポリゴジアールの濃度が０．５ｐｐｂ〜１０００ｐｐｂ、イソチオシアネート類の濃度が１０〜５０００ｐｐｍとなるように添加することを特徴とする、アブラナ科植物の風味を有する飲食品組成物の辛味増強方法。
〔１２〕アブラナ科植物の風味を有する飲食品組成物が、ワサビ風味飲食品組成物又はカラシ風味飲食品組成物である上記の辛味増強方法。
〔１３〕上記の方法で辛味が増強されたアブラナ科植物の風味を有する飲食品組成物。
【００１３】
〔１４〕飲食品組成物中のポリゴジアールの濃度が０．５ｐｐｂ〜１０００ｐｐｂ、イソチオシアネート類の濃度が１０〜５０００ｐｐｍとなるように添加することを特徴とする、アブラナ科植物の風味を有する飲食品組成物の劣化臭をマスキングする方法。
〔１５〕アブラナ科植物の風味を有する飲食品組成物が、ワサビ風味の飲食品組成物又はカラシ風味の飲食品組成物である上記の劣化臭をマスキングする方法。
〔１６〕上記の方法でマスキングされたアブラナ科植物の風味を有する飲食品組成物。
【００１４】
〔１７〕ポリゴジアール及びイソチオシアネート類を含有することを特徴とするアブラナ科植物の風味を有する飲食品組成物。
〔１８〕イソチオシアネート類１０００質量部に対してのポリゴジアールの比率が０．０００１〜１０であることを特徴とする上記のアブラナ科植物の風味を有する飲食品組成物。
〔１９〕飲食品中のポリゴジアールの濃度が０．５ｐｐｂ〜１０００ｐｐｂ、イソチオシアネート類の濃度が１０〜５０００ｐｐｍであることを特徴とする上記のアブラナ科植物の風味を有する飲食品組成物。
〔２０〕アブラナ科植物の風味を有する飲食品組成物が、ワサビ風味の飲食品組成物またはカラシ風味の飲食品組成物である上記のアブラナ科植物の風味を有する飲食品組成物。〔２１〕スピラントールと併用することを特徴とする上記の飲食品組成物。
〔２２〕ポリゴジアール１質量部に対して、スピラントールを０．０１〜１００質量部の割合で併用することを特徴とする上記の飲食品組成物。
〔２３〕上記に記載の辛味増強用香料組成物を添加してなるアブラナ科植物の風味を有する辛味増強用飲食品組成物。
【００１５】
〔２４〕上記に記載のマスキング用香料組成物を添加してなるアブラナ科植物の風味を有する劣化臭のマスキング用飲食品組成物。
〔２５〕ポリゴジアールの濃度が０．５ｐｐｂ〜１０００ｐｐｂ、イソチオシアネート類の濃度が１０〜５０００ｐｐｍとなるようにアブラナ科植物の風味を有する飲食品組成物に添加することを特徴とする、アブラナ科植物風味飲食品組成物の製造方法。
〔２６〕辛味を増強するために、上記の辛味増強用香料組成物を添加することを特徴とするアブラナ科植物風味飲食品組成物の製造方法。
【００１６】
〔２７〕劣化臭をマスキングするために、上記の劣化臭マスキング用香料組成物を添加することを特徴とするアブラナ科植物風味飲食品組成物の製造方法。
〔２８〕ポリゴジアールが、ヤナギタデの有機溶剤抽出液を１５０℃以下の温度で蒸留して得られる蒸留物に含まれるポリゴジアールであることを特徴とする、上記に記載のアブラナ科植物風味飲食品組成物の製造方法。
〔２９〕アブラナ科植物の風味を有する飲食品組成物が、ワサビ風味の飲食品組成物又はカラシ風味の飲食品組成物である、アブラナ科植物風味飲食品組成物の製造方法。
【発明の効果】
【００１７】
本発明の香料組成物は、イソチオシアネート類とポリゴジアールを併用することで、経時的な変化によりイソチオシアネート類が減少した状態においても辛味を有し、かつ良好な風味のアブラナ科植物（例えば、ワサビやカラシ等）風味飲食品組成物を提供できる。特に、辛味の減退が顕著な水性のワサビ風味飲食品に好適である。
【００１８】
（辛味増強効果）
イソチオシアネート類とポリゴジアールを併用することで辛味増強効果が得られる。この増強作用は、イソチオシアネート類のみで評価した場合には辛味の感じられない低濃度においても発揮される。増強によって生じた辛味の質は、アブラナ科風味飲食品組成物に適しており違和感はない。よって、経時的な変化によりイソチオシアネート類が低減した状態でも自然な辛味を有する風味とすることが可能となる。
【００１９】
（劣化臭効果）
イソチオシアネート類は、分解によって劣化臭を生じる。分解によって生じる劣化臭は化合物によって異なり、例えば、アリルイソチオシアネートの場合はにんにく臭、３−ブテニルイソチオシアネートの場合は溶剤臭である。ポリゴジアールを併用することで、にんにく臭や溶剤臭などに代表されるイソチオシアネート類の劣化臭がマスキングされるため、保管後においても良好な風味を維持することができる。風味に違和感を生じる点で特に問題となる劣化臭は、アリルイソチオシアネートの分解によって生じるにんにく臭である。
【００２０】
（スピラントール併用の効果）
イソチオシアネート類、ポリゴジアール及びスピラントールの三成分を併用することで、辛味の発現性がより自然に感じられる。
アブラナ科植物風味飲食品組成物の辛味は、初発から中盤にかけて辛味を強く感じることが1つの特徴である。イソチオシアネート類とポリゴジアールの併用だけでは、中盤の辛味は強く感じるが、初発の辛味にやや物足りなさがある。
そこで、スピラントールを併用することで、初発に辛味を強く感じるため、辛味の発現性がより自然なものに感じられる。
また、スピラントールを併用することで、ポリゴジアール単独で添加した際よりもイソチオシアネート類の劣化臭をよりマスキングすることが可能である。
【発明を実施するための形態】
【００２１】
以下に、本発明を実施の形態に即して詳細に説明する。
＜Ａ＞香料組成物
本発明の香料組成物は、以下の成分から構成される。
【００２２】
〔１〕イソチオシアネート類
本発明に使用するイソチオシアネート類は、ω−アルケニルイソチオシアネート類、ω−メチルチオアルキルイソチオシアネート類、及びω−アルキルイソチオシアネート類からなる群より選ばれた１種又は２種以上のイソチオシアネート類である。
【００２３】
ω−アルケニルイソチオシアネート類は、下記式［１］で表される。
式［１］：ＣＨ2＝ＣＨ−（ＣＨ2）m−ＮＳＣ
上記式中、ｍは１〜１０の整数を表すが、１〜８が好ましく、１〜５が特に好ましい。
【００２４】
式［１］の構造を有する化合物の具体例としては、アリルイソチオシアネート、３−ブテニルイソチオシアネート、４−ペンテニルイソチオシアネート、５−ヘキセニルイソチオシアネート、６−ヘプテニルイソチオシアネートなどが挙げられる。これらの中でも、アリルイソチオシアネート、３−ブテニルイソチオシアネート、４−ペンテニルイソチオシアネート、５−ヘキセニルイソチオシアネートが好ましい。
【００２５】
本発明に用いるω−アルケニルイソチオシアネート類は、ワサビなどの天然原料中に含まれるもの、合成で得られるものどちらも利用可能である。
当該化合物の合成方法は、例えば特開平２−２２１２５５号公報に開示されているが、その概略は、不活性溶媒中、
ＣＨ2＝ＣＨ−(ＣＨ2) m−Ｘ
（式中、ｍ は前述したものと同一の意味を有し、Ｘ は臭素、塩素、ヨウ素のようなハロゲン原子を表す）
の構造を有するω−アルケニルハライドをチオシアン酸塩と反応させ、得られたω−アルケニルチオシアナートを極性非プロトン性溶媒中で異性化することにより得られる。
【００２６】
ω−メチルチオアルキルイソチオシアネート類は、下記式［２］で表される。
式［２］：ＣＨ3−Ｓ−（ＣＨ2）n−ＮＣＳ
上記式中、ｎは１〜１０の整数を表すが、２〜８が好ましく、３〜７が特に好ましい。
【００２７】
式［２］の構造を有する化合物の具体例としては、３−（メチルチオ）プロピルイソチオシアネート、６−メチルチオヘキシルイソチオシアネート、５−メチルチオペンチルイソチオシアネート、７−メチルチオヘプチルイソチオシアネートなどが挙げられる。これらの中でも、３−（メチルチオ）プロピルイソチオシアネート、６−メチルチオヘキシルイソチオシアネートが好ましい。
【００２８】
本発明に用いるω−メチルチオアルキルイソチオシアネート類は、ワサビなどの天然原料中に含まれるもの、合成で得られるものどちらも利用可能である。
当該化合物の合成方法は、例えば特開平７−２１５９３１号公報に開示されているが、その概略は、不活性溶媒中、
ＣＨ2＝ＣＨ−(ＣＨ2) n−２−ＮＣＳ
（式中、ｎは３〜１０の整数を表す）
の構造を有するω−アルケニルイソチオシアナートを、メチルメルカプタンと反応させることにより得られる。
【００２９】
ω−アルキルイソチオシアネート類は、下記式［３］で表される。
式［３］：Ｒ−（ＣＨ2）p−ＮＣＳ
上記式中、ｐは０〜１０の整数を表すが、０〜８が好ましく、０〜５が特に好ましい。また、Ｒはフェニル基又は炭素数が１〜４の直鎖若しくは分岐のアルキル基を表す。
炭素数が１〜４の直鎖若しくは分岐のアルキル基の好ましい例として、メチル、エチル、ｎ−プロピル、イソプロピル、ｎ−ブチル、イソブチル、sec−ブチルなどが挙げられ、メチル、イソプロピル、sec−ブチルが好ましい。
【００３０】
式［３］の構造を有する化合物の例としては、sec−ブチルイソチオシアネート、イソブチルイソチオシアネート、ｎ−ブチルイソチオシアネート、ヘキシルイソチオシアネート、２−フェニエチルイソチオシアネート、イソプロピルイソチオシアネート、アミルイソチオシアネート、３−メチルブチルイソチオシアネート、ベンジルイソチオシアネートなどがある。これらの中でも、sec-ブチルイソチオシアネート、イソブチルイソチオシアネート、ブチルイソチオシアネート、ヘキシルイソチオシアネート、２−フェニエチルイソチオシアネートが好ましい。
【００３１】
本発明に用いるω−アルキルイソチオシアネート類は、ワサビなどの天然原料中に含まれるもの、合成で得られるものどちらも利用可能である。
合成品は市販品を入手して利用してもよい。例えば、シグマアルドリッチ、東京化成工業株式会社、和光純薬株式会社等から購入可能である。
【００３２】
本発明のポリゴジアール及びイソチオシアネート類、場合によってさらにスピラントールを含有することを特徴とするアブラナ科植物の風味を有する香料組成物は、飲食品組成物の辛味を増強する用途として使用する場合には、飲食品組成物中のイソチオシアネート類の濃度が１０〜５０００ｐｐｍ、好ましくは１００〜２５００ｐｐｍとなるように添加する。
【００３３】
一方、飲食品組成物の劣化臭をマスキングする用途で使用する場合には、飲食品組成物中のイソチオシアネート類の濃度が１０〜５０００ｐｐｍ、好ましくは１００〜２５００ｐｐｍとなるように添加する。
この場合、イソチオシアネート類濃度は、香料組成物に含まれるイソチオシアネート類の量とアブラナ科植物風味の飲食品組成物に含まれるイソチオシアネート類の量の合計量である。
また、イソチオシアネート類は飲食品の加工段階で適宜追加することができ、添加の時期はポリゴジアールと必ずしも同時である必要はない。
【００３４】
〔２〕ポリゴジアール
本発明で用いるポリゴジアール（Polygodial、IUPAC名(1R,4aS,8aS)-5,5,8a-Trimethyl-1,4,4a,6,7,8-hexahydronaphthalene-1,2-dicarboxaldehyde）とは、分子式Ｃ15Ｈ22Ｏ2、分子量２３４．３３、融点５７℃であり、以下の構造を有するジテルペンアルデヒドである。
【化２】
2020196775.tif 000003
【００３５】
ポリゴジアールは、植物のヤナギタデやマウンテンペッパーの刺激成分として知られている。
本発明で使用するポリゴジアールは、化学的な手法で合成された合成品の他、動植物から抽出されたものであってもよい。本発明ではいずれの方法により得られたポリゴジアールであっても使用でき、また、本発明の効果が得られる限り、純度が高いものである必要はない。
他の成分の味やにおいがアブラナ科植物風味飲食品の香味に影響を与えない限り、ポリゴジアールを含有する植物の抽出物や精油等を精製することなく使用してもよい。
【００３６】
ポリゴジアールを含む植物としては、ヤナギタデ（Persicaria hydropiper、別名：ウォーターペッパー）、マウンテンペッパー（Polygonum punctatum var.punctatum）、シダ植物であるBlechnum fluviatile、同Thelypteris hispidula、コケ植物であるPorella vernicosaの仲間に含まれることが知られている。
【００３７】
また、動物としては、ウミウシ類に属するDendrodoris limbata、Doriopsilla pharpaもポリゴジアールを含有することが報告されている。
飲食品組成物に使用する場合、安全性の観点からは食経験のある植物から得られる抽出物又は精油を使用することが好ましく、ヤナギタデ、マウンテンペッパーの抽出物又は精油を使用するのが特に好ましい。
【００３８】
ヤナギタデの抽出によるポリゴジアールの採取法を例示すると、抽出溶剤によってヤナギタデの葉（子葉も含む）、茎、および種子から抽出した液を蒸留してポリゴジアールを含む留分を得る方法が挙げられる。
ヤナギタデの抽出処理に使用する抽出溶剤は、水、アルコール類（例えば、メタノール、エタノール、プロパノール、イソプロパノールなどの炭素数１〜３の低級アルコール）、アセトン、酢酸エチルなどをそれぞれ単独あるいは任意の２種類以上の混液として使用することができる。
抽出溶剤の中でも、抽出率、価格、作業の安全性などから、水、エタノール、アセトン、酢酸エチルを単独あるいは任意の２種類以上の混液として使用することが好適であり、酢酸エチルやエタノールが特に好ましい。
【００３９】
抽出溶剤の量は特に制限はなく目的に応じ適宜調整できるが、ヤナギタデ１００質量部に対し、３００〜３０００質量部、より好ましくは５００〜２０００質量部が用いられる。
抽出温度は、通常は０〜１００℃、好ましくは２０〜５０℃、より好ましくは３０〜４０℃で行われる。
抽出時間は、抽出する温度にも依存するが、通常は３０分〜５時間、好ましくは１〜２時間で行われる。
得られた抽出液を、濾紙などを用いて固液分離して、ポリゴジアールを含む粗抽出液を得る。
【００４０】
粗抽出液は、そのまま蒸留工程を行うことができるが、抽出溶剤を留去して濃縮液とすることが好ましい。また、粗抽出液は、抽出溶剤を留去する前に液−液分配抽出により、有効成分であるポリゴジアールを低極性側の溶剤に抽出する、または高極性の夾雑成分を高極性側の溶剤に抽出することで、高極性の夾雑成分を除去することもできる。
【００４１】
液−液分配抽出を行う場合は、粗抽出液と混ざり合わない溶剤を粗抽出液１００質量部に対し５０〜２００質量部添加して行う。例えば、抽出溶剤が酢酸エチルであった場合には、水、または水とアルコール類の混液などを用いることができ、抽出溶剤が水、または水とアルコール類の混液であった場合には、酢酸エチル、ヘキサン、ヘプタンなどを用いることができる。
【００４２】
ヤナギタデ濃縮液を蒸留することにより、ポリゴジアールを含有する留分を得る。
蒸留工程は公知の蒸留設備を用いることができる。具体的には、単蒸留、精留、フラッシュ蒸留、短工程蒸留などが挙げられる。
蒸発温度は、１５０℃を超えるとポリゴジアールが分解してしまい、著しい収率の低下をきたすことから、１５０℃以下で留出することが必要であり、好ましくは１４０℃以下、より好ましくは１３０℃以下であり、さらに好ましくは１２０℃以下で留出させることが望ましい。そのため油回転ポンプ、メカニカルブースターポンプ、拡散ポンプなどの公知の真空ポンプを用いて減圧下で行う必要がある。
【００４３】
装置が大型化すると留出に必要な熱量が増大し、有効成分の分解やエネルギー効率悪化などの問題があるため、短工程蒸留が最も好ましく、遠心薄膜式や流下薄膜式の装置を用いることができる。
蒸留時の減圧度は、１５０℃以下でポリゴジアールが留出する圧力であれば限定されないが、より低圧で蒸留することが望ましく、一般的には３００Ｐａ以下、好ましくは２００Ｐａ以下、より好ましくは１００Ｐａ以下、特に好ましくは５０Ｐａ以下である。
【００４４】
ヤナギタデ抽出物中のポリゴジアールは含有量が非常に低いため、留分を凝縮させる冷却部に付着して回収率が低下する場合があり、必要に応じて溶剤を用いて冷却部に付着した留分を回収することもできる。
使用できる溶剤に制限はなく、価格、安全性、取扱いのしやすさや用途などから適宜選択することができる。
【００４５】
例えば、水、エタノール、１，３−ブチレングリコール、プロピレングリコール、ジプロピレングリコール、グリセリン、ジグリセリン、１，２−ペンタンジオール、１，３−プロパンジオール、中鎖脂肪酸エステル、トリアセチン、トリエチルシトレートなどが好適であり、ヤナギタデ抽出物を水溶性製剤として得る場合は、エタノールやその含水物、脂溶性製剤として得る場合には中鎖脂肪酸エステル（構成脂肪酸の炭素数５〜炭素数１２の中鎖脂肪酸トリグリセライド）などが特に好適である。
【００４６】
使用する蒸留装置によっては、冷却部に付着した留分を溶剤で回収できない、または煩雑な操作が必要で回収が困難な場合があるため、蒸留工程において、蒸留前のヤナギタデ抽出液にあらかじめ補助溶剤を添加しておくことが好ましい。
補助溶剤を含有するヤナギタデ抽出液を蒸留することで留分の量が増加し、溶剤を使った回収操作を行うことなく、効率的にポリゴジアールを含有する留分を回収することができる。
【００４７】
使用する補助溶剤の種類や量は、価格、安全性、取扱いのしやすさや用途などから目的に応じて適宜選択することができるが、ポリゴジアールと同等の沸点であることが好ましく、大気圧下（１気圧）における沸点が１８０℃以上であり、より好ましくは２００℃以上であり、また、７００℃以下の溶剤が好ましく、６００℃以下がより好ましい。
使用する補助溶剤の沸点が１８０℃以下であると、冷却管での補助溶剤の回収効率が悪く、７００℃以上であると補助溶剤がほとんど蒸留されないため不適である。
【００４８】
補助溶剤の例としては、グリセリン（大気圧下（１気圧）での沸点。以下同じ：２９０℃）、プロピレングリコール（１８８℃）、ジプロピレングリコール（２３２℃）、中鎖脂肪酸エステル（構成脂肪酸の炭素数５〜炭素数１２の中鎖脂肪酸トリグリセライド）（３７０〜６７０℃）、トリアセチン（２６０℃）、トリエチルシトレート（２９４℃）などが好適である。
ヤナギタデ抽出物を水溶性製剤として得る場合はグリセリン、プロピレングリコール、トリエチルシトレートまたはその混合物が特に好ましく、脂溶性製剤として得る場合には中鎖脂肪酸エステル（構成脂肪酸の炭素数５〜炭素数１０の中鎖脂肪酸トリグリセライド）が特に好ましい。
【００４９】
補助溶剤は、蒸留前であればどの工程で添加してもよいが、抽出前に添加するか、粗抽出液から抽出溶剤を留去させる前に添加することが望ましい。
補助溶剤の量に特に制限はなく目的に応じ適宜調整できるが、抽出原料として用いるヤナギタデ１００質量部に対し、１０〜５００質量部、より好ましくは５０〜２００質量部が用いられる。
補助溶剤を抽出前又は粗抽出液から抽出溶剤を留去させる前に添加する場合には、補助溶剤が留去しない条件で抽出溶剤を留去する。
【００５０】
〔３〕スピラントール
ポリゴジアールに加えてスピラントールを併用することにより、辛味の発現性がより自然に感じられる辛味増強用香料組成物、増強方法、飲食品組成物を提供することができる。また、スピラントールを併用することで、ポリゴジアール単独で添加した際よりもイソチオシアネート類の劣化臭をよりマスキングするマスキング用香料組成物、マスキング方法、飲食品組成物を提供することが可能である。
【００５１】
本発明で用いるスピラントール（Spilanthol、IUPAC名(2E,6Z,8E)-N-Isobutyl-2,6,8-decatrienamide）とは、分子式Ｃ14Ｈ23ＮＯ、分子量２２１．３４、融点２３℃であり、以下の構造を有する脂肪酸アミドである。
【化３】
2020196775.tif 000004
【００５２】
本発明で使用するスピラントールは、化学的な手法で合成された合成品の他、動植物から抽出されたものでもよい。
本発明ではいずれの方法により得られたスピラントールであっても使用でき、また、本発明の効果が得られる限り、純度が高いものである必要はない。
他の成分の味や匂いがアブラナ科植物風味飲食品の香味に影響を与えない限り、スピラントールを含有する植物の抽出物や精油等を精製することなく使用してもよい。
【００５３】
飲食品組成物に使用する場合，安全性の観点からは食経験のある植物から得られる抽出物又は精油を使用することが好ましく、また、供給、価格等の実用性の観点から、スピラントール含量の多いオランダセンニチ（Spilanthes acmella）又はキバナオランダセンニチ（Spilanthes acmella var. oleracea）の抽出物又は精油を使用するのが特に好ましい。
【００５４】
スピラントールの抽出法を例示すると、オランダセンニチ又はキバナオランダセンニチの花頭を乾燥・粉砕した後、有機溶媒で抽出してスピラントールを含有する抽出液を得る方法が挙げられる。
抽出に使用する有機溶媒は特に制限はなく、メタノール、エタノール、プロパノール、プロピレングリコール等のアルコール類、アセトン等のケトン類、酢酸エチル等のエステル類、ジエチルエーテル等のエーテル類、ヘキサン、ヘプタン等の炭化水素類を適宜単独で、又は混合して使用することができる。
中でも、アルコール類のような極性有機溶媒が好ましく、安全性の観点から特にエタノールが好ましい。得られた抽出液から溶媒を留去し、スピラントール含有抽出物が得られる。
【００５５】
〔４〕各構成成分の配合割合
香料組成物におけるポリゴジアールの配合割合は、一般的にはイソチオシアネート類１０００質量部に対して０．０００１〜１０、好ましくは０．０００５〜５、より好ましくは０．００１〜２、さらに好ましくは０．００１〜１、特に好ましくは０．００５〜０．５である。
【００５６】
香料組成物において、ポリゴジアールの濃度が好ましくは１００ｐｐｂ〜１％、特に好ましくは１〜１５００ｐｐｍであり、イソチオシアネート類の濃度が１００ｐｐｍ〜９９％、好ましくは１０００ｐｐｍ〜７５％、特に好ましくは１〜５０％である。
スピラントールを併用する場合は、ポリゴジアール１質量部に対して、一般にスピラントールを０．０１〜１００質量部、好ましくは０．０２〜５０、特に好ましくは０．１〜１０の割合で併用する
【００５７】
アブラナ科植物の風味を有する飲食品組成物の辛味増強用香料組成物として使用する場合のポリゴジアールの配合割合は、一般的にはイソチオシアネート類１０００質量部に対して０．０００１〜１０、好ましくは０．０００５〜５、より好ましくは０．００１〜２、さらに好ましくは０．００１〜１、特に好ましくは０．００５〜０．５である。
この場合、辛味増強用香料組成物中のポリゴジアールの濃度が好ましくは１００ｐｐｂ〜１％、特に好ましくは１〜１５００ｐｐｍであり、イソチオシアネート類の濃度が１００ｐｐｍ〜９９％、好ましくは１０００ｐｐｍ〜７５％、特に好ましくは１〜５０％である。
【００５８】
アブラナ科植物の風味を有する飲食品組成物のマスキング用香料組成物として使用する場合のポリゴジアールの配合割合は、一般的にはイソチオシアネート類１０００質量部に対して０．０００１〜１０、好ましくは０．０００５〜５、より好ましくは０．００１〜２、さらに好ましくは０．００１〜１、特に好ましくは０．００５〜０．５である。
この場合、マスキング用香料組成物中のポリゴジアールの濃度が好ましくは１００ｐｐｂ〜１％、特に好ましくは１〜１５００ｐｐｍであり、イソチオシアネート類の濃度が１００ｐｐｍ〜９９％、好ましくは１０００ｐｐｍ〜７５％、特に好ましくは１〜５０％である。
【００５９】
〔５〕付加的成分
本発明の香料組成物には、さらに飲食品組成物に一般的に用いられる香料成分や、着色料、酸化防止剤、保存料等を添加することもできる。
香料成分としては、特許庁「周知慣用技術集（香料）第II部  食品用香料」（２０００年１月１４日発行）等に記載されている各種天然香料、合成香料を本発明の効果を損なわない範囲で、特に制限なく使用することができる。
【００６０】
＜Ｂ＞アブラナ科植物
本発明におけるアブラナ科植物とは、アブラナ科（学名：Brassicaceae）に分類され、アリルイソチオシアネート類又はその配糖体（グルコシノレート又はカラシ油配糖体）を含有するものをいう。
具体的には、ワサビ（学名Eutrema japonicum (Miq.) Koidz.）、カラシ（白辛子（学名Sinapis alba）、黒辛子（学名Brassica nigra））、西洋ワサビ（学名Armoracia rusticana）、ダイコン、カブ、キャベツ、カラシ菜などが該当する。
【００６１】
＜Ｃ＞アブラナ科植物風味飲食品組成物＞
本発明の香料組成物が配合、添加される対象のアブラナ科植物風味飲食品組成物とは、上記アブラナ科植物の風味成分を含むことによって、あるいは実際にはワサビ成分を含んでいなくても合成香料等でアブラナ科植物風に味付けされた飲食品組成物や加工飲食品をいう。
【００６２】
すなわち、本発明の香料組成物が使用される飲食品組成物は、アブラナ科植物風味付けされた可食性のものであれば特に限定されることはなく、例えば、スープなどの飲料、スナック菓子などの菓子、タブレット状の錠菓、チューインガム、チーズなどの酪農・油脂製品、味噌、醤油、食酢、ウスターソース、トマトケチャップ、焼き肉のたれ、ドレッシング、香辛料などの調味料、食肉加工品、水産加工品、調理食品、冷凍食品、口腔製品、医薬品などが例示される。
特に、辛味の減退が顕著な水性飲食品に好適である。水性飲食品とは水を主成分とした液状の食品のことであり、例えば、つゆ、たれ、ドレッシング、出汁、スープ、ウスターソース、漬け液、ピクルス液、ぽん酢、コンソメ、清涼飲料水などが挙げられる。
【００６３】
＜Ｄ＞香料組成物の飲食品組成物に対する適用
〔１〕剤形
上記飲食品組成物の詳細及び、該飲食品組成物への香料組成物の使用の態様については、「特許庁公報『周知・慣用技術集(香料)第II部  食品用香料』、平成12年1月14日発行、第897〜901頁」に記載の方法が通常採用される。
すなわち、調製された香料組成物は、そのまま、あるいはエタノールのようなアルコール類、動植物油類、フロピレングリコール、グリセリンのような多価アルコール類に任意に溶解した溶液状、また、アラビアガム、トラガントガム等のような公知の天然ガム質類、グリセリン脂肪酸エステル類、ショ糖脂肪酸エステル類等のような公知の天然ガム質類、ゼラチン、デキストリン等のような公知の賦形剤を用いて被覆させた粉末状、あるいは公知のカプセル化処理して得られるマイクロカプセル等、その使用目的により任意の形状を選択して用いられる。さらに、シクロデキストリンなどの公知の包接剤で包接して、安定化かつ徐放性にしてその効果を持続させる方法も用いられる。この他に、ぺースト状や顆粒状タイプの態様であってもよい。
【００６４】
本発明の香料組成物は、乳化製剤あるいは乳化粉末製剤としても用いることができる。
この場合において本発明で用いられる乳化剤の例としては、エンジュサポニン、オオムギ穀皮抽出物、アラビアガム、オクテニルコハク酸デンプンナトリウム、ポリソルベート類、キラヤ抽出物、グリセリン脂肪酸エステル類、酵素処理ダイズサポニン、酵素処理レシチン、酵素分解レシチン、植物性ステロール類、植物レシチン、スフィンゴ脂質、ショ糖脂肪酸エステル類、ステアロイル乳酸カルシウム、ソルビタン脂肪酸エステル類、ダイズサポニン、胆汁末、チャ種子サポニン、動物性ステロール類、トマト糖脂質、ビートサポニン、プロピレングリコール脂肪酸エステル類、分別レシチン、ユッカフォーム抽出物、卵黄レシチンなどが例示され、好ましくはアラビアガム、オクテニルコハク酸デンプンナトリウム、ポリソルベート類、キラヤ抽出物、グリセリン脂肪酸エステル類、酵素処理レシチン、植物レシチン、スフィンゴ脂質、ショ糖脂肪酸エステル類、ステアロイル乳酸カルシウム、ソルビタン脂肪酸エステル類、プロピレングリコール脂肪酸エステル類、卵黄レシチンなどが例示される。
【００６５】
〔２〕配合量
本発明の香料組成物は、飲食品組成物に対して、飲食品組成物中のポリゴジアールの濃度が０．５ｐｐｂ〜１０００ｐｐｂ、好ましくは１〜５００ｐｐｂであり、イソチオシアネート類の濃度が１０〜５０００ｐｐｍ、好ましくは１００〜２５００ｐｐｍであるように配合することが好ましい。
【００６６】
ここで、香料組成物をアブラナ科植物の風味を有する飲食品組成物の辛味増強剤として使用する場合は、辛味増強用香料組成物を飲食品組成物中のポリゴジアール濃度が０．５ｐｐｂ〜１０００ｐｐｂ、好ましくは１〜５００ｐｐｂ、イソチオシアネート類の濃度が１０〜５０００ｐｐｍ、好ましくは１００〜２５００ｐｐｍとなるように添加する。
【００６７】
また、香料組成物をアブラナ科植物の風味を有する飲食品組成物の劣化臭のマスキング剤として使用する場合は、マスキング用香料組成物を飲食品組成物中のポリゴジアール濃度が０．５ｐｐｂ〜１０００ｐｐｂ、好ましくは１〜５００ｐｐｂ、イソチオシアネート類の濃度が１０〜５０００ｐｐｍ、好ましくは１００〜２５００ｐｐｍとなるように添加する。
【実施例】
【００６８】
以下に実施例をあげて本発明をさらに詳しく説明するが、本発明はこれらに限定されるものではない。
〔調製例１〕
水９２ｇに、食塩５ｇ、醸造酢（酸度４．２％）３．５ｇ、グルタミン酸ナトリウム０．５ｇを加えて溶解することで、ｐＨ４．５の漬けだれベースを作製した。
【００６９】
〔調製例２〕
調製例１の漬けだれベースに、ワサビ香料（アリルイソチオシアネート３３．３％含有、小川香料株式会社製）を０．０７５質量％添加して、アリルイソチオシアネートを２５０ｐｐｍ含有するワサビ風味漬けだれベースを作製した。
【００７０】
〔製造例１〕
ヤナギタデ（ＪＡ筑前あさくら，商品名「四季紅」）１００ｇに対し、酢酸エチルを１０００ｇ加え４０℃で１時間抽出後、固液分離し、粗抽出液９００ｇを得た。
得られた粗抽出液にトリエチルシトレート１００ｇを加え、減圧下（１００ｍｍＨｇ、４０℃）で酢酸エチルを除去した後、流下薄膜式短工程蒸留装置を用いて、２０Ｐａ、１２０℃で蒸留し、ポリゴジアール５００ｐｐｍを含有するヤナギタデ抽出物９０ｇを得た。
【００７１】
〔比較例１〕
調製例２のワサビ風味漬けだれベースを比較例１とした。
〔比較例２〕
調整例１の漬けだれベースにポリゴジアール（和光純薬製）を後掲の表１の濃度になるように添加し、比較例２とした。
〔比較例３、実施例１〜４〕
比較例１のワサビ風味漬けだれベースにポリゴジアール（和光純薬製）を後掲の表１の濃度になるように添加し、比較例３、実施例１〜４とした。
【００７２】
〔実施例５〕
比較例１のワサビ風味漬けだれベースに製造例１のヤナギタデ抽出物をポリゴジアールが１２０ｐｐｂになるように添加し、実施例５とした。
〔実施例６〕
比較例１のワサビ風味漬けだれベースにマウンテンペッパーオイル（ESSENTIAL OILS OF TASMANIA PTY LTD製、ポリゴジアール含量２０％）をポリゴジアールが１２０ｐｐｂになるように添加し、実施例６とした。
【００７３】
〔試験例１〕
習熟した１０名のパネルにより，調製直後の比較例１を対照として、以下の評価基準で官能評価を行った。
調製直後の評価を評価１、冷蔵庫で２週間保管した際の評価を評価２とした。点数を記録し、サンプル毎に１０人の採点の平均値を求めて評価結果とした。結果を「表１」に示した。
【００７４】
評価基準（辛味の強度）
0: 対象と比較して、辛味がまったく感じられない
1: 対象と比較して、辛味がかすかに感じられる
2: 対象と比較して、辛味が弱い
3: 対象と比較して、辛味がやや弱い
4: 対象と比較して、辛味がわずかに弱い
5: 対象と比較して、同程度の辛味を感じる
6: 対象と比較して、辛味がわずかに強い
7: 対象と比較して、辛味がやや強い
8: 対象と比較して、辛味が強い
9: 対象と比較して、辛味がかなり強い
10: 対象と比較して、辛味が非常に強い
【００７５】
【表１】
2020196775.tif 000005
【００７６】
「表１」に記載の通り、アリルイソチオシアネートを含有するワサビ風味漬けだれベースに、ポリゴジアールを２〜１２０ｐｐｂ（アリルイソチオシアネート１０００質量部に対し、ポリゴジアールを０．００８〜０．４８質量部）を添加することで辛味を増強し、さらに、冷蔵庫で２週間保管後の辛味も保持できることが分かった。
また、ヤナギタデ抽出物、マウンテンペッパー抽出物を用いてもポリゴジアール純品と同様の辛味保持効果が認められた。
ポリゴジアールを２００ｐｐｂ添加しても、香味に影響を与えなかった。
【００７７】
〔試験例２〕
市販のチューブ入り練りワサビ（イソチオシアネート類約１２００ｐｐｍ含有、各イソチオシアネート類の含有量は「表２」参照）にポリゴジアール（和光純薬製）、およびスピラントール（小川香料社製）を後掲の「表３」の濃度になるように添加して、比較例４および実施例７〜２４とし、ポリゴジアール、スピラントール無添加品を対照品とし、習熟した１０名のパネルにより、以下の評価基準に従い評価を行った。
評価項目に記載の「トップ」の辛味とは、口に入れた瞬間の辛さであり、「ミドル〜ラスト」の辛味はそれ以降に感じる辛味を指す。また、「風味のわさびらしさ」とは、グリーン感が強く、沢わさびに近い辛味を有する風味を指す。
【００７８】
評価基準
＋＋＋：非常に効果有り（対照と比較し、８名以上が効果を認識）
＋ ＋ ：効果有り      （対照と比較し、５名以上が効果を認識）
＋    ：やや効果有り  （対照と比較し、３名以上が効果を認識）
・    ：効果／変化なし（対照と比較し、３名未満が効果を認識）
【００７９】
【表２】
2020196775.tif 000006
【００８０】
【表３】
2020196775.tif 000007
【００８１】
「表３」から明らかなように、スピラントールはチューブ入り練りワサビ中１２０ｐｐｂまで添加しても、それ自体は無刺激でワサビの辛味を増強しなかったのに対し、ポリゴジアール２〜４００ｐｐｂ（イソチオシアネート類１０００質量部に対してポリゴジアール０．００２〜０．３３）、ポリゴジアール１質量部に対してスピラントール０．０３〜２５質量部を併用することで、トップからラストにかけての全体的な辛味を付与することができることが分かった。
【００８２】
〔試験例３〕
調製例２のワサビ風味の漬けだれベースにポリゴジアール（和光純薬製）、およびスピラントール（小川香料社製）を後掲の「表４」の濃度になるように加え、比較例５および実施例２５〜２８とした。
調製直後の評価を「評価１」、冷蔵庫で２週間保管した際の評価を「評価２」とし、比較例１を対照品とし、習熟した１０名のパネルにより、試験例２記載の評価基準に従い評価を行った。
【００８３】
【表４】
2020196775.tif 000008
【００８４】
【表５】
2020196775.tif 000009
【００８５】
「表４」に記載の通り、ポリゴジアールはワサビ風味の漬けだれベース中において、調製直後の辛味を付与するのみならず、保管後の風味も保持できることが分かった。また、ポリゴジアール単独ではミドル〜ラストに辛味が付与されていたが、ポリゴジアール１質量部に対し、スピラントール０．５〜２５質量部と併用することで、全体的に辛味が付与されよりわさびらしさがより強まった。
【００８６】
〔試験例４〕
調製例２のワサビ風味の漬けだれベースにポリゴジアール（和光純薬製）、およびスピラントール（小川香料社製）を後掲の表５の濃度になるように加え、比較例６および実施例２９、３０とした。
調製直後の評価を評価１、室温で１週間保管した後の評価を評価２とし、習熟した６名のパネルにより、比較例１を対照として、辛味および室温保管によって生じた劣化臭の強さを、以下の評価基準で官能評価を行った。点数を記録し、サンプル毎に６人の採点の平均値を求めて評価結果とした。
【００８７】
評価基準
１：非常に弱く感じられる
２：かなり弱く感じられる
３：弱く感じられる
４：対照品と同等
５：強く感じられる
６：かなり強く感じられる
７：非常に強く感じられる
【００８８】
【表６】
2020196775.tif 000010
【００８９】
「表５」に記載の通り、ポリゴジアールはワサビ風味飲食品組成物で発生する劣化臭を抑制することが分かった。ポリゴジアールとスピラントールとを併用することでポリゴジアール単独よりも劣化臭を抑制することがわかった。
【００９０】
〔試験例５〕
市販のチューブ入り練りからし（アリルイソチオシアネート１０００ｐｐｍ含有）にポリゴジアール（和光純薬製）、およびスピラントール（小川香料社製）を後掲の「表６」の濃度になるように添加して、実施例３１、３２とし、ポリゴジアール、スピラントール無添加品を対照品とし、習熟した６名のパネルにより、辛味の強さを試験例４記載の評価基準に従い評価を行った。
【００９１】
【表７】
2020196775.tif 000011
【００９２】
前掲の「表６」に記載の通り、チューブ入り練りからしにポリゴジアール、ポリゴジアールとスピラントールを併用することで、異味異臭なくからしの辛味を増強することが分かった。
【００９３】
〔試験例６〕
後掲の「表７」の組成に従い、イソチオシアネート類を計り取り、中鎖脂肪酸グリセリンエステル（花王株式会社、商品名：「ココナード」）に溶解することで、ポリゴジアール及びイソチオシアネート類を含有するアブラナ科植物の風味を有する組成物を調製し、本発明品１〜１７とした。
【００９４】
〔製造例２〕
液糖（Ｂｘ.７５°）４００ｇにキラヤニン（丸善製薬社製「キラヤニンＣ−１００」、キラヤ抽出物２０％含有）５０ｇ、水６６ｇ及び９５％エタノール３４ｇを混合溶解し水相部とした。
これにワサビオイル（イソチオシアネート類９５％含有、小川香料社製）４２０ｇ、製造例１のヤナギタデ抽出物３０ｇを混合し、ＴＫ−ホモミキサー（特殊機化工業社製）を用いて１００００ｒｐｍで２０分間撹拌し、ワサビ風味乳化香料１０００ｇを得、本発明品１８とした。
なお、ワサビオイルの各イソチオシアネート類の含有割合については、「表８」に記載した。
【００９５】
【表８】
2020196775.tif 000012
【００９６】
【表９】
2020196775.tif 000013
【００９７】
【表１０】
2020196775.tif 000014
【００９８】
【表１１】
2020196775.tif 000015
【００９９】
〔飲食品への適用〕
（１）ドレッシング
市販の和風ドレッシング（イソチオシアネート類の含有なし）に、本発明品１〜１８、アリルイソチオシアネート、「表８」のワサビオイル（イソチオシアネート類９５％含有、小川香料社製）を「表９」記載の添加率で添加し良く混合して、ドレッシングのサンプルを得た。
（２）マヨネーズ
市販のマヨネーズ（イソチオシアネート類の含有なし）に、本発明品１〜１８、アリルイソチオシアネート、「表８」のワサビオイル（イソチオシアネート類９５％含有、小川香料社製）を「表９」記載の添加率で添加し良く混合して、マヨネーズのサンプルを得た。
（３）佃煮
市販の海苔の佃煮（イソチオシアネート類の含有なし）に、本発明品１〜１８、アリルイソチオシアネート、「表８」のワサビオイル（イソチオシアネート類９５％含有、小川香料社製）を「表９」記載の添加率で添加し良く混合して、海苔の佃煮のサンプルを得た。
【０１００】
（１）〜（３）で作製したサンプルを、習熟した６名のパネルが製造直後と冷蔵２週間保管後で評価を行った。その結果、製造直後と冷蔵２週間保管後の評価ともに、６名全員がわさびとして良好な辛味が感じられるとのコメントだった。